(57)【要約】      （修正有）【課題】ストラップの長さ調節が可能な携帯品を提供する。【解決手段】携帯品１は、ストラップ３が、前記携帯品１のラグ４を介して、ケース２に取り付けられ、前記ラグ４は、前記ケース２に対しスライド可能に搭載され、制御ユニット５を更に有し、前記制御ユニット５は、周囲温度を測定する温度センサを有し、前記制御ユニット５は、前記ストラップ３のケース２に対する動きを、測定された温度に応じて制御して、ストラップ３の長さが調整される。【選択図】図２
2011092714.tif 000002
【特許請求の範囲】
【請求項１】
ケース（２）を有する携帯品（１）に於いて、
ストラップ（３）が、前記携帯品（１）の一対のラグ（４）を介して、前記ケース（２）に取り付けられ、
前記一対のラグ（４）は、前記ケース（２）に対しスライド可能に搭載され、その結果、前記ストラップ（３）の長さが調整される
ことを特徴とする携帯品。
【請求項２】
制御ユニット（５）を更に有し、
前記制御ユニット（５）は、周囲温度を測定する温度センサを有し、
前記制御ユニット（５）は、前記ストラップ（３）のケース（２）に対する動きを、測定された温度に応じて制御して、ストラップ（３）の長さを調整する
ことを特徴とする請求項１記載の携帯品。
【請求項３】
制御ユニット（５）を更に有し、
前記制御ユニット（５）は、ユーザにより前記ケース（２）の外側から制御可能であり、ユーザは、前記ストラップ（３）をケース（２）に対し移動させることにより、前記ストラップ（３）の長さを調整する
ことを特徴とする請求項１又は２記載の携帯品。
【請求項４】
前記ケース（２）は、前記一対のラグ（４）の位置にオリフィス（９）を有し、
前記一対のラグ（４）は、前記オリフィス（９）を介して、前記ケース（２）内をスライド可能に移動し、
前記一対のラグ（４）は、歯（８）を有し、
前記歯（８）は、前記ケース（２）内に搭載された制御モータ（６）により駆動されるギアー（７）と協働し、
前記一対のラグ（４）は、前記ストラップ（３）を締めたり弛めたりするために、前記ケース（２）を出入りする
ことを特徴とする請求項１−３のいずれかに記載の携帯品。
【請求項５】
前記一対のラグ（４）は、一体に形成されて、Ｕ字型部品（４２）を構成する
ことを特徴とする請求項４記載の携帯品。
【請求項６】
前記一対のラグ（４）のそれぞれは、歯（８）を有し、
前記歯（８）は、前記Ｕ字型部品（４２）の突起部品（４４）の上に配置される
ことを特徴とする請求項５記載の携帯品。
【請求項７】
前記一対のラグ（４）は、ベース（４３）を介して一体に形成されて、Ｕ字型部品（４２）を構成し、
突起部品（４４）が、前記ベース（４３）から伸びる
ことを特徴とする請求項４記載の携帯品。
【請求項８】
前記Ｕ字型部品（４２）は、複数個の歯（８）を有し、
前記各歯（８）は、前記一対のラグ（４）の１つに配置される
ことを特徴とする請求項７記載の携帯品。
【請求項９】
前記Ｕ字型部品（４２）は、歯（８）を有し、
前記歯（８）は、前記一対のラグ（４）の突起部品（４４）に配置される
ことを特徴とする請求項７記載の携帯品。
【請求項１０】
前記Ｕ字型部品（４２）は、２個の歯（８）を有し、
前記２個の歯（８）は、前記突起部品（４４）に配置される
ことを特徴とする請求項７記載の携帯品。
【請求項１１】
前記制御ユニット（５）は、メモリ領域を有し、
前記メモリ領域内に、少なくとも２個の温度しきい値（TempMinとTempMax）と基準温度（TempCons）とを記憶し、
前記制御ユニット（５）は、前記温度センサーによる測定温度が前記しきい値の１つに達した時に、前記モータ（６）を駆動する  
ことを特徴とする請求項２−１０のいずれかに記載の携帯品。
【請求項１２】
前記制御ユニット（５）は、メモリ領域を有し、
前記メモリ領域内に、前記ストラップ（３）の長さを連続的に調整する温度チャートが記憶される
ことを特徴とする請求項２−１０のいずれかに記載の携帯品。
【請求項１３】
前記制御ユニット（５）は、複数個の温度センサを有し、
前記使用される温度は、複数個の温度センサにより測定された温度の平均値である
ことを特徴とする請求項２−１０のいずれかに記載の携帯品。
【請求項１４】
温度変動による前記一対のラグ（４）の移動量は、５ｍｍである
ことを特徴とする請求項２−１０のいずれかに記載の携帯品。
【請求項１５】
（Ａ）温度を測定するステップと、
（Ｂ）前記測定された温度と、最大温度しきい値（TempMax）と最小温度しきい値（TempMin）と比較するステップと、
（Ｃ）前記測定された温度が、前記最大温度しきい値（TempMax）よりも大きい場合には前記ストラップ（３）の長さを長くし、前記最小温度しきい値（TempMin）よりも低い場合には前記ストラップ（３）の長さを短くするステップと、
（Ｄ）測定した温度が、前記最大温度しきい値（TempMax）以下、又は最小温度しきい値（TempMin）以上になった時に、前記ストラップ（３）を初期状態に戻すステップと、
を有する
ことを特徴とする携帯品のストラップの長さを調整する方法。
【請求項１６】
（Ａ）温度を測定するステップと、
（Ｂ）前記測定された温度と、最大温度しきい値（TempMax）と最小温度しきい値（TempMin）と比較するステップと、
（Ｃ）前記測定された温度が、前記最大温度しきい値（TempMax）よりも大きい場合には前記ストラップ（３）の長さを長くし、前記最小温度しきい値（TempMin）よりも低い場合には前記ストラップ（３）の長さを短くするステップと、
（Ｄ）測定した温度が、基準温度しきい値（TempCons）になった時に、前記ストラップ（３）を初期状態に戻すステップと、
を有する
ことを特徴とする携帯品のストラップの長さを調整する方法。
【発明の詳細な説明】
【技術分野】
【０００１】
本発明は、ブレスレット特に２個のブレスレットが固定されるケースを有する携帯品に関する。
【背景技術】
【０００２】
従来の腕時計は、ユーザの手首に、革製或いはゴム製のストラップ或いは金属製のブレスレットで固定されている。ストラップは２個のストランドから構成され、時計のケースは、互いに対向して配置された一対のホーンを有する。ストラップの２個のストランドが、時計のケースの一対のホーンの間に配置され、この２個のストランドは、留め金で固定され、時計をユーザの手首に取り付けている。
【０００３】
この種のストラップの欠点は、その長さを調節する自由度がないことである。金属製のブレスレットは、複数のリンクで構成され、このリンクを外したり加えたりすることによりその長さを調整している。リンクは、一定の大きさであるために、手首に正確に合わせることは常に可能とは限らない。革製或いはゴム製のストラップに関しては、穴があけられ、其処に舌状部材がスライドして挿入される。穴の数は、ストラップが壊れやすくなるのを回避するために限られている。多くの穴があると各穴の間のスペースが小さくなりストラップが壊れやすくなる。２個の穴のスペースが破断すると、穴は使用不可能となる。ブレスレットの長さを細かく調整するような手段は存在せず、ユーザは不都合を感じている。
【０００４】
これ等のブレスレットの別の欠点は、環境特に温度に合わせてその長さが調整できない点である。人体の形状は周囲環境に応じて変わる。人間の体型に影響を及ぼす環境要素の１つは温度である。人の骨は寒いと収縮し暑いと膨張する。従って時計の装着者の手首は温度によって伸縮する。手首の直径は温度に応じて変わる。革製或いはゴム製のストラップにおいては、ストラップを弛めたりきつくしたりすることが可能であるが、金属製のブレスレットについてはこれは出来ない。金属製のブレスレットのサイズは温度で調節することは出来ない。
【０００５】
ブレスレットを装着しているユーザは、ある周囲温度ではユーザの手首にフィットしているが、寒いときには長すぎ暑いときには短すぎることになる。斯くして不都合である。
【発明の概要】
【発明が解決しようとする課題】
【０００６】
本発明は、従来技術の欠点を解決する携帯品を提供する。本発明の携帯品のブレスレットの長さは、微調整が可能で、温度による体型の変化に適合できる。
【課題を解決するための手段】
【０００７】
本発明の携帯品は、ストラップが、前記携帯品のラグを介して、携帯品のケースに取り付けられ、前記ラグは、前記ケースに対しスライド可能に搭載され、その結果、前記ストラップの長さが調整される。
【０００８】
本発明の携帯品の第１の利点は、ブレスレットの長さを簡単に変えることが出来ることである。ブレスレットの一方をケースに対し相対的にスライドさせることにより、ブレスレットの長さを、携帯品を自分の手首から外すことなく調節（変更）出来る。
【０００９】
本発明の携帯品は請求項２−１４に記載した通りである。
【００１０】
本発明の第１の利点は、ストラップの長さが温度に応じて調整可能である点である。本発明の携帯品は制御ユニットを有する。この制御ユニットが、ストラップを携帯品に対しスライドさせることにより長さを制御する。この制御ユニットは温度センサを含む。温度センサは、測定した温度に応じてストラップの長さを調節する。基準温度に対し温度が高くなった時にはストラップを長くし、低くなった時には短くする。
【００１１】
第２の利点は、本発明のシステムのフレキシビリティにある。調整システムは自動的に即ち温度により制御可能であるが、その調整はユーザによっても（手動で）制御可能である。このような場合、調整システムは、ブレスレットのサイズをより細かく調整するのに有効となる。
【００１２】
本発明の携帯品のストラップの長さを調整する方法は、
（Ａ）温度を測定するステップと、
（Ｂ）前記測定された温度と、最大温度しきい値（TempMax）と最小温度しきい値（TempMin）と比較するステップと、
（Ｃ）前記測定された温度が、前記最大温度しきい値（TempMax）よりも大きい場合には前記ストラップ（３）の長さを長くし、前記最小温度しきい値（TempMin）よりも低い場合には前記ストラップ（３）の長さを短くするステップと、
（Ｄ１）測定した温度が、前記最大温度しきい値（TempMax）以下、又は最小温度しきい値（TempMin）以上になった時に、前記ストラップ（３）を初期状態に戻すステップと、或いは
（Ｄ２）測定した温度が、基準温度しきい値（TempCons）になった時に、前記ストラップ（３）を初期状態に戻すステップと、
を有する。
【図面の簡単な説明】
【００１３】
【図１】本発明の携帯品の第１実施例の部分図。
【図２】本発明の携帯品の第２実施例の部分図。
【図３】本発明の携帯品の２つの実施例の内の第１変形例の部分図。
【図４】本発明の携帯品の２つの実施例の内の第２変形例の部分図。
【図５】本発明の携帯品の２つの実施例の内の第２変形例の他の実施例の部分図。
【図６】本発明の携帯品の２つの実施例の内の第２変形例の他の実施例の部分図。
【図７ａ】本発明の携帯品の第２実施例の第１状態の部分図。
【図７ｂ】本発明の携帯品の第２実施例の第２状態の部分図。
【図７ｃ】本発明の携帯品の第２実施例の第３状態の部分図。
【発明を実施するための形態】
【００１４】
図１において、本発明の携帯品１は、手首に装着する時計、他の装置例えば心拍計、万歩計等である。以下腕時計を例に説明する。携帯品１はケース２を有し、ケース２は時計の構成要素を収納する。携帯品１はユーザの手首に２個のストラップ３から形成されるブレスレット（バンド）で装着される。ストラップ３は、ケース２にラグ（ホーン）４を介して固定され、互いに舌状部品或いはバックルを具備した留め金を介して取り付けられる。ブレスレットは、ケース２にその端部で固定された１個のストラップ３を有する。このブレスレットはフレキシブルである。
【００１５】
ストラップ３は、例えば金属製、ゴム製、革製である。ストラップ３が金属製の場合には折り畳み不可能なバックル型の留め金が用いられ、ブレスレットは、その構成部品であるリンクをストラップ３に着脱することにより長さが調整される。ストラップ３が、革製或いはゴム製の場合には、調節はストラップ３に開けられた穴を介して行われる。
【００１６】
この場合、ブレスレットはユーザの手首に合わせて最適な方法で調整することは出来ない。この種の問題を解決するために本発明は以下のような解決方法を提案する。
【００１７】
本発明の第一実施例に於いては、ラグ４は、スライド可能にケース２に搭載される。ケース２はオリフィス９を有する。この開口寸法は、オリフィス９内を前記ラグ４がスライド可能に挿入できる寸法である。ラグ４は、平行な細長い台形の形態をとる。ラグ４は、ストラップ３をラグ４に固定する手段を有する。各ラグ４は、その一端で内側に歯８を有する。この歯８はギアー７と嵌り合う。歯８の長さは、所望の調整量（例えば５ｍｍ）が可能となる寸法である。この調整量はこれに限定されず、製造業者が調整量を決定できる。
【００１８】
長手軸に対しある方向に回転可能に設定されると、ギアー７は、ラグ４を歯８を介して移動させ、その結果ラグ４はケース２の内側に向いて動く。逆にギアー７が反対方向に回転されるように設定されると、ラグ４は歯８を介して移動し、その結果ラグ４はケース２の外側に向いて移動する。ラグ４は、ギアー７が常に歯８と協働するよう、ラグ４の移動を制限する手段を具備する。停止手段は、ラグ４に配置された突起部分の形態をとってもよく例えばその端部に突起部を形成してもよい。
【００１９】
ギアー７は、制御モータ６により伝達シャフト１０を介して駆動される。携帯品１は制御ユニット５を有する。この制御ユニット５は制御モータ６を制御する。制御ユニット５は、制御信号を制御モータ６に送り、制御モータ６の回転方向、即ちギアー７の動きを制御する。
【００２０】
ユーザが、携帯品１のブレスレットのサイズを調整し、自分の手首に合わせる為に、携帯品１はインターフェイス手段６１を有する。このインターフェイス手段６１はユーザにより外部からアクセス出来る。図１によれば、インターフェイス手段６１はプッシュボタン６２，６３を有する。第１プッシュボタン６２によりラグ４がケース２内に引っ込み、第２プッシュボタン６３によりラグ４はケース２から飛び出す。プッシュボタン６２，６３は、制御ユニット５に接続ワイヤを介して連結されている。斯くしてプッシュボタン６２，６３の一方が押されると、電気信号が制御ユニット５に送られ、この制御ユニット５が、ラグ４のモータ６を制御する。
【００２１】
本発明の第二実施例によれば、ブレスレットは、温度によるユーザの手首のサイズの変動を吸収するために、温度に応じて長さが調整される。これを行うために、制御ユニット５は、温度センサ例えばピエゾ電子型の温度センサを有する。
【００２２】
この温度センサを用いて温度を測定し、その温度の値を制御ユニット５に送る。すると制御ユニット５が、測定した温度に基づいて所定の制御プログラムに従って、ラグ４の動きを制御する。
【００２３】
第１動作原理によれば、制御ユニット５で実施される制御プログラムは、複数のレベルを使用する。図７ａ、７ｂ、７ｃに示す動作原理は単純であまりエネルギーを使わない。こうするために、プログラムは様々な段階少なくとも３つの段階を規定して、ブレスレットの長さの変動を制御する。TempConと称する第１レベルは、基準温度である。TempMinと称する第２レベルは、寒さにより器官が収縮して手首のサイズが減少し始める温度である。TempMaxと称する第３レベルは、暑さにより器官が膨張して手首のサイズが増加する温度である。例えばTempConは２０℃、TempMinは１０℃、TempMaxは３０℃である。
【００２４】
斯くして、TempConsにおいては、携帯品１は図７ｂに示す通常状態にある。斯くしてラグ４は、若干突出して、ラグ４はケースの何れの方向にも移動できる。
【００２５】
周囲温度が上昇して、温度センサが、温度がTempMaxに達したと検知した時点で、制御ユニット５は、ストラップ３を調整するよう、機能する。ストラップ３が取り付けられるラグ４は、図７ｃに示すようにケースの外側の方向に動く。斯くしてブレスレットの長さは、所定の温度変化に応じて増加する。
【００２６】
手首の周囲長さの差が、手首が収縮した状態と膨張した状態の間で５ｍｍあると仮定する。このことは、TempConとTempMaxの間の温度差を意味し、手首の周囲は、通常の手首長さからプラス・マイナス２．５ｍｍだけ変動する。この変動は、TempConsとTempMinの間の温度差でも同様である。このような変動を、２個のストラップ３を動かすことにより吸収しようとすると、１個のストラップ３の移動量は１．２５ｍｍとなる。１個のストラップ３のみ動かす場合には、ストラップ３は、所定の長さ（２．５ｍｍ）だけ動く必要がある。
【００２７】
周囲温度が下降して、温度センサが、温度がTempMin以下になったと検知した時点で、制御ユニット５は、ストラップ３を調整するよう、機能する。ストラップ３が取り付けられるラグ４は、図７ａに示すようにケースの内側の方向に動く。
【００２８】
TempMaxとTempMinとの間の動きについて、２つのケースがある。
【００２９】
第１のケースに於いては、ブレスレットは、温度センサにより測定された温度がTempMinとTempMaxの間に入った（但し両端の温度は除く）時に、初期の状態に戻る。温度が、TempMax以下に下がったり、TempMin以上に上がったりすると、制御ユニット５は、ラグ４を動かして、初期の状態に戻す。
【００３０】
第２のケースにおいては、図７ｂの初期状態に戻るのは、測定した温度がTempConsに達した時である。温度がTempMaxより高い場合には、ラグ４は、その温度がTempConsに達した時に初めて初期位置戻る。同様に温度がTempMinより低い場合には、ラグ４は、温度がTempConsに達した時に初めて初期位置に戻る。この動作モードは、効率的であまりエネルギーを余り使用しない。その理由は、ある場所から別の場所（例えば日向から日陰）に移動した時の小さな温度変動では、ブレスレットのサイズを変動する必要はないからである。中間の温度しきい値を組み込んで、ブレスレットのサイズの変動をより滑らかにすることも出来る。
【００３１】
第２の動作原理によれば、ブレスレットのサイズの調整は、連続的に行うことが出来る。このためバリュー・チャートが、携帯品１内に登録される。このバリュー・チャートは温度に関連するブレスレットのサイズの変動に関するデータを有する。それ故に、ブレスレットのサイズは、温度による自動調整が可能になる。温度によるブレスレットサイズの変動に関連するデータを含むチャートを設定せずに、上記の数（３箇所）よりも多い或いは少ない調整位置も設定可能である。
【００３２】
ブレスレットのサイズを温度によるユーザの手首のサイズの変動に合わせる機能は、独立した機能である。斯くしてこの機能を、ユーザの要求に基づいてブレスレットのサイズの微調整の機能に追加することも出来る。携帯品１は、温度によるブレスレットのサイズを調整するこの機能のみを含むことも出来る。
【００３３】
図３に示す本発明の２つの実施例の内の第一変形例においては、２本のラグ４を一体にしてもよい。このラグ４はＵ字型部品４２の形態をとる。このＵ字型部品４２により、ラグ４は互いに同一位置に正確に常に留まるようになる。これは一方のラグが他方のラグと離れて動くのを阻止し、整合と損傷を引き起こすのを阻止する。ギアー７に噛み合う歯８は、Ｕ字型部品を構成する平行なブランチのそれぞれに配置することも出来る。
【００３４】
図４，５，６に示す本発明の２つの実施例の第２の変形例に於いては、ラグ４はＵ字型部品４２の形態をとる。そのベース４３は突起部品４４を含み、Ｕ字型部品４２は、チューニング・フォークの形状をとる。この突起部品４４は、図５に示すように、ケースの外側方向に向く（２本のホークの間にある）か、図４，６に示すように、ケース２の内側に突出するピンの形態をとる。突起部品４４は、歯８を搭載するのに用いられる。
【００３５】
第二変形例の第１の更なる変形例に於いては、突起部品４４は、ギアー７と噛み合う２個の歯８と制御モータ６とを有する。
【００３６】
第二変形例の更なる第２の変形例に於いては、突起部品４４は、ギアー７と噛み合う歯８と制御モータ６とを有する。この場合、一対のラグ４を１個のモータが駆動する。この構成により、ケース２内の制御モータ６の数を減らすことができ、従ってシステムが消費する電力とスペースを減らすことができる。
【００３７】
本発明の変形例として、携帯品１は、２個の温度センサを有する。これらの温度センサにより測定された平均温度を、ブレスレットの長さの調整用に用いることが出来る。
【００３８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００３９】
１  携帯品
２  ケース
３  ストラップ
４  ラグ
５  制御ユニット
６  制御モータ
７  ギアー
８  歯
９  オリフィス
１０  伝達シャフト
４１  Ｕ字型部品
４２  Ｕ字型部品
４３  ベース
４４  突起部品
６２，６３  プッシュボタン
６２  第１プッシュボタン
６３  第２プッシュボタン
【図１】
2011092714.tif 000003
【図２】
2011092714.tif 000004
【図３】
2011092714.tif 000005
【図４】
2011092714.tif 000006
【図５】
2011092714.tif 000007
【図６】
2011092714.tif 000008
【図７ａ】
2011092714.tif 000009
【図７ｂ】
2011092714.tif 000010
【図７ｃ】
2011092714.tif 000011
【外国語明細書】
2011092714000001.pdf